(57)【要約】【課題】  製品の価値を高め、偽造防止の効果を与えるラベルとそれを付ける製品の製作方法を提供する。【解決手段】  内装飾層１は、表面に印刷した図案や文字を持ち、複数の密接した孔１０を持つ。保護層２は、内装飾層１の表面に貼り付けられ、複数の密接した孔２０を持つ。ラベルは、製品が成形される作業の前に製品が注入成形される型の中に置かれ、製品が注入成形されたら、製品の表面に密着して一体に貼り付けられる。内装飾層１又は保護層２の局部の金属層または装飾物により、製品の外表面に色々な変化が起きるため、簡単にプラスチック製品は偽造されない。【選択図】    図１
2005266456.tif 000002
【特許請求の範囲】
【請求項１】
表面に印刷した図案や文字を持ち、複数の密接した孔を持つ内装飾層と、
前記内装飾層の表面に貼り付けられ、複数の密接した孔を持つ保護層とを備え、
貼り付け対象の製品が成形される作業の前に、前記製品が注入成形される型の中に置かれ、前記製品が注入成形されることにより前記製品の表面に密着して一体に貼り付けられることを特徴とするラベル。
【請求項２】
前記保護層には、孔が設けられていないことを特徴とする請求項１記載のラベル。
【請求項３】
前記内装飾層の特定部分に、複数の孔が設けられていることを特徴とする請求項１記載のラベル。
【請求項４】
前記内装飾層と前記保護層は、局部の特定範囲の周囲に密接した微細孔が設けられていることを特徴とする請求項１記載のラベル。
【請求項５】
前記内装飾層と前記保護層との間には、装飾物が置かれていることを特徴とする請求項１記載のラベル。
【請求項６】
前記保護層の外表面に、装飾物が貼り付けられていることを特徴とする請求項１記載のラベル。
【請求項７】
前記内装飾層の上表面に、装飾物が貼り付けられていることを特徴とする請求項１記載のラベル。
【請求項８】
前記内装飾層と前記保護層の上表面に、各装飾物が貼り付けられていることを特徴とする請求項１記載のラベル。
【請求項９】
前記内装飾層と前記保護層とは、外側から内側に向けて凹み部が局部的に設けられていることを特徴とする請求項１記載のラベル。
【請求項１０】
前記内装飾層と前記保護層は、内側から外側に向けて凹み部が局部的に設けられていることを特徴とする請求項１記載のラベル。
【請求項１１】
装飾物を持つラベルを、貼り付け対象となる製品をその中で成形する型の型溝の中に置く作業の第一過程と、
前記型のおす型とめす型を閉め合せる作業の第二過程と、
製品の材料を前記型の中に注入して、その中で製品に成形する作業の第三過程と、
前記型から成形された製品を取り出す為の型開き作業の第四過程と、
成形された製品の表面に密着して貼り付けられている前記ラベルの装飾物をはがし取る作業の第五過程と、
を含むことを特徴とする偽造防止の製品の製作方法。
【発明の詳細な説明】
【技術分野】
【０００１】
本発明は、型の中で製品に貼られる偽造防止用のラベルとその製作方法に関する。特に、プラスチックの射出成形製品で真空成形、中空成形または押し出し成形に適用でき、ラベルが型の中で製品の成型作業過程中に一緒に貼り付けられ、製品の偽造防止の効果を持つものである。
【背景技術】
【０００２】
目下販売されているプラスチック製の容器や製品は、加工成形後に、外表面に図案や文字などを転印していて、その色や図案などは美感がなく、生き生きしてる様に見えないので、消費者の注意を引き付けない。
【０００３】
また、プラスチック製容器や製品のあるものは、プラスチックのラベルを製品の射出成型時に同時に製品の外表面に一体になる様に貼り付け、ラベルには図案などを印刷しておき、ラベルの裏面に粘着剤を塗粧して製品に貼り付け、または、凸版印刷術で製品の外表面にラベルを印刷するものがあるが、そのコストは高く、利益をあげるのが困難である。
【０００４】
更に、あるものはプラスチックの容器や製品の表面に自粘性のラベルが貼られ、しかし、これらのものはラベルが製品にはっきり貼られている様に見えるので、美感的印象を与えない。
その外に、収縮性のラベルを加熱してプラスチック製品の外表面に貼り付けるものもあるが、その様なラベルはプラスチック製品からはがれ易い欠点がある。
【発明の開示】
【発明が解決しようとする課題】
【０００５】
そこで、本発明の目的は、プラスチック製品を射出成形するのに使用される型の中に偽造防止用のラベルを事前に入れて置き、プラスチック製品が成型される過程において、ラベルが一緒に貼り付けられる様にし、製品の価値を高めると同時に、偽造防止の効果を与える様にすることである。
【課題を解決するための手段】
【０００６】
本発明は、偽造防止用のラベルに内装飾層を持たせ、内装飾層にはあらかじめ図案や文字を印刷しておき、更に、保護層を設置して内装飾層と結合させてラベルを作り、ラベルを製品の射出成型に使用される型の中に事前に入れておき、製品の成形過程中に、製品と結合させて一体とし、偽造防止の製品を製作する。
【０００７】
更に、内装飾層だけ或いは内装飾層と保護層とに一緒に、又は、局部的に貫通孔を設置する。或いは、局部的に金属層または装飾品を付け、製品の成形過程で一緒に一体になる様にして、それらの貫通孔や金属層や装飾品は製品の表面に色々さまざまな異なる変化を持たせて、偽造防止の製品を作る様にする。
その外に、内装飾層と保護層は、プラスチック或いはアルミや紙などで同じ材質又は異なる材質で作って変化を付ける。
【０００８】
本発明による偽造防止のプラスチック製品の製作方法は、あらかじめ準備したラベルをプラスチック製品を射出成形する型の中に事前に入れておき、型の中で製品が成形される過程において、おす型とめす型を相互にはめ合わせる時のしめ付け圧力により、ラベルが型の中で製品と一体に貼り付けられる様にして、内装飾層又は保護層の局部の金属層または装飾物により、製品の外表面に色々な変化が起きる様にし、簡単にプラスチック製品が偽造されない様にする。
【０００９】
本発明のラベルは、孔や金属層や装飾物などで表面に貼られている製品の表面に異なる状態を与えて、製品の偽造が容易にできない様にする。また、ラベルは、事前に準備して製品を成形する型の中に成形される製品が注入成形されると同時に、製品の表面に密接して貼り付けられる。
【発明を実施するための最良の形態】
【００１０】
本発明の第一実施例による偽造防止用の型の中に置かれるラベルは、図１及び図２に示す様に、内装飾層１と保護層２とで構成されている。
内装飾層１は、プラスチックかアルミ箔か紙を材料とし、上表面に印刷した図案や文字が付いている。更に、図１に示す様に、色々な形状の孔１０が設けられている。
【００１１】
保護層２は、内装飾層１の上表面に貼り付けられ、内装飾層１の孔１０と同じ孔２０が設けられても、設けられなくてもよい。これらの内装飾層１の孔１０と保護層２の孔２０は各別に設けて置かれてもよく、両者が貼り合わせられたあとに設けられてもよい。
前記内装飾層１と保護層２は、同じ材料でも、異なる材料でもよく、プラスチック製品と密着して貼り付くものが好ましい。
【００１２】
次に、前記のラベルをプラスチック製品を注入成形する型の中に事前に入れて置き、型を閉めてプラスチック材を型の中に注入して成形する時の高温により、ラベルは製品の表面に充分に密着して貼り付けられ、ラベルに設けておいた孔は空気の流動をよくして、更に、ラベルは製品とより密着されて一体となり、本実施例の偽造防止用の型の中に置かれるラベルとなる。
【００１３】
次に、図３と、図４と、図５と、図６とは、本発明の第三実施例、第四実施例、第五実施例及び第六実施例によるラベルを示し、大体第一実施例と同じ様に内装飾層１Ａと保護層２Ａとで構成されている。
【００１４】
内装飾層１Ａは、プラスチックかアルミ箔か紙を材料とし、表面に図案或いは文字が印刷されてもよく、局部的に任意の個所に任意の形状の孔１０が図３、図４、図５及び図６に示す様に設けられている。
【００１５】
また、保護層２Ａは、前記内装飾層１Ａの表面に貼り付けられ、局部的に任意の個所に任意の形状の孔２０が前記内装飾層１Ａの孔１０と合わせて図３、図４、図５及び図６に示す様に設けられてもよい。
【００１６】
第三実施例、第四実施例、第五実施例及び第六実施例の事前に準備したラベルは、第一実施例と同じ様にプラスチック製品を型の中で注入成形する前に型の中に入れて置かれ、注入成形したら、製品と一体となって貼り付けられて、製品が容易に偽造されることを防止する。
【００１７】
更に、図７と、図８と、図９と、図１０とは、本発明の第七実施例、第八実施例、第九実施例及び第十実施例によるラベルを示し、やはり前記各実施例と同じ様に内装飾層１Ｂと保護像２Ｂとで構成されている。
内装飾層１Ｂは、同じ様にプラスチックかアルミ箔か紙を材料とし、表面に図案と文字などが印刷されてもよい。
【００１８】
保護層２Ｂは、内装飾層１Ｂの表面に貼り合わされ、図７に示す様に、装飾物１１が両者の中間に入れて置かれている。または、図８に示す様に、保護層２Ｂの表面の一部分に貼り付けられている。あるいは、図９に示す様に、内装飾層１Ｂの内表面の一部分に貼り付けられている。または、図１０に示す様に、保護層２Ｂの外表面と内装飾層１Ｂの上表面に各装飾物１１が貼り付けられている。装飾物１１は、金属やプラスチックや紙や乾燥した植物などのどんなものでもよく、はがせるものまたははがせられないものでもよい。
【００１９】
第七実施例、第八実施例、第九実施例及び第十実施例で事前に準備したラベルは、やはり前記各種の実施例のラベルと同じくプラスチック製品を型の中で注入成形する前に型の中に入れて置かれ、成形されたら、製品と一体になって貼り付けられて、製品が容易に偽造されることを防止する。
【００２０】
更に、図１１と図１２は、本発明の第十一実施例によるラベルを示し、同じ様に内装飾層１Ｃと保護層２Ｃとで構成されている。
内装飾層１Ｃは、同様にプラスチックかアルミ箔か紙を材料とする。
【００２１】
保護層２Ｃは、前記内装飾層１Ｃの表面に貼り付けられ、保護層２Ｃと内装飾層１Ｃの中間に装飾物１１が入れて置かれ、装飾物１１は金属やプラスチックや紙または乾燥した植物でもよい。
【００２２】
事前に準備した第十一実施例のラベルは、前述各種の実施例のものと同様に、プラスチック製品を注入成形する型の中に成形する前に入れて置かれ、成形されたら、製品と一体に貼り付けられて、製品が簡単に偽造されることを防止する。
【００２３】
次に、図１３と図１４は、本発明の第十二実施例によるラベルを示し、同じく内装飾層１Ｄと保護層２Ｄとで構成されている。
内装飾層１Ｄは、前述の実施例と同じ様にプラスチックやアルミ箔や紙などを材料とする。
【００２４】
保護層２Ｄは、内装飾層１Ｄの表面に貼り付けられ、更に保護層２Ｄには局部的に凹み部３０が図１４に示す様に設けられている。または、図１３に示す様に、内装飾層１Ｄだけに局部的に凹み部３０が設けられている。
【００２５】
事前に準備した第十二実施例のラベルは、前述の各実施例と同じくプラスチック製品が注入成形される型の中に成形する前に入れて置かれ、成形されたら、製品と一体に貼り付けられて、製品が容易に偽造されることを防止する。
【００２６】
本発明の実施例の偽造防止用の型の中に置かれるラベルをプラスチック製品成形と共に一体に貼り付ける製作方法は、図１５に示す様に、はがせる装飾物１１を持つラベルを事前に準備して、プラスチック製品を成形する型の型溝４の中に成形作業する前に注入しておき、おす型とめす型を合わせて密閉してから、プラスチック材料を型の中に注入して、プラスチック製品を成形する。それで、ラベルは、型を密閉する圧力とプラスチック材料の高温により、成形された製品と非常に密着して貼り付けられる。型を開けて製品を取り出した後、ラベルの前記装飾物１１をはがして除去すれば、装飾物１１の個所に立体感の印象が与えられて、製品５は美感を増加し、価値を高める。
【００２７】
本発明の実施例の偽造防止の型の中のラベルは、製品の成形過程中に一緒に製品の表面に非常に密着して貼り付けられるので、容易にはがれ落ちない。また、不規則な形の孔は色々異なる視覚の印象を与えて、変化があり、単調な感覚を与えない。その外、保護層の外表面にある装飾物１１をはがして除去すると、その個所がラベルに特別に顕著な感じを与えて立体的印象を残し、製品の偽造を困難にして、製品の価値を高める。
【図面の簡単な説明】
【００２８】
【図１】本発明の第一実施例によるラベルを示す上面図及び部分拡大断面図である。
【図２】本発明の第二実施例によるラベルを示す上面図及び部分拡大断面図である。
【図３】本発明の第三実施例によるラベルを示す上面図及び部分拡大断面図である。
【図４】本発明の第四実施例によるラベルを示す上面図及び部分拡大断面図である。
【図５】本発明の第五実施例によるラベルを示す上面図及び部分拡大断面図である。
【図６】本発明の第六実施例によるラベルを示す上面図及び部分拡大断面図である。
【図７】本発明の第七実施例によるラベルを示す上面図及び部分拡大断面図である。
【図８】本発明の第八実施例によるラベルを示す上面図及び部分拡大断面図である。
【図９】本発明の第九実施例によるラベルを示す上面図及び部分拡大断面図である。
【図１０】本発明の第十実施例によるラベルを示す上面図及び部分拡大断面図である。
【図１１】本発明の第十一実施例によるラベルを示す上面図である。
【図１２】図１１をＡ−Ａ線で切断した断面図である。
【図１３】本発明の第十二実施例によるラベルを示す上面図及び部分拡大断面図である。
【図１４】本発明の第十三実施例によるラベルを示す上面図及び部分拡大断面図である。
【図１５】本発明の実施例によるラベルを付ける製品の制作方法の流れ作業を示す模式図である。
【図１６】本発明の実施例によるラベルを貼ったプラスチック容器の斜視図である。
【符号の説明】
【００２９】
１  内装飾層、１Ａ  内装飾層、１Ｂ  内装飾層、１Ｃ  内装飾層、１Ｄ  内装飾層、２  保護層、２Ａ  保護層、２Ｂ  保護層、２Ｃ  保護層、２Ｄ  保護層、１０  孔、２０  孔、３０  凹み部
【図１】
2005266456.tif 000003
【図２】
2005266456.tif 000004
【図３】
2005266456.tif 000005
【図４】
2005266456.tif 000006
【図５】
2005266456.tif 000007
【図６】
2005266456.tif 000008
【図７】
2005266456.tif 000009
【図８】
2005266456.tif 000010
【図９】
2005266456.tif 000011
【図１０】
2005266456.tif 000012
【図１１】
2005266456.tif 000013
【図１２】
2005266456.tif 000014
【図１３】
2005266456.tif 000015
【図１４】
2005266456.tif 000016
【図１５】
2005266456.tif 000017
【図１６】
2005266456.tif 000018